(57)【要約】【課題】外部電極の端縁部からのコロナ放電を防止する。【解決手段】  放電媒体を内部に封入したガラスバルブ１と、該ガラスバルブ１の各端部を覆うようにガラスバルブ１の両側にそれぞれ設けられる有底筒状の外部電極２，２とを備える誘電体バリア放電ランプにおいて、ガラスバルブ１の両側外周面上にそれぞれ絶縁体層３，３を被着し、外部電極２，２は、絶縁体層３，３の一部を覆って端縁部を絶縁体層３，３上に配置する。これにより外部電極２，２からガラスバルブ１の外周面にコロナ放電が起こることを防止できる。【選択図】図１
2007103056.tif 000002
【特許請求の範囲】
【請求項１】
放電媒体を内部に封入したガラスバルブと、該ガラスバルブの各端部を覆うようにガラスバルブの両側にそれぞれ設けられる有底筒状の外部電極とを備える誘電体バリア放電ランプにおいて、ガラスバルブの両側外周面上にそれぞれ絶縁体層が被着され、外部電極は、絶縁体層の一部を覆って端縁部が絶縁体層上に配置されてなることを特徴とする誘電体バリア放電ランプ。
【請求項２】
放電媒体を内部に封入したガラスバルブと、該ガラスバルブの各端部を覆うようにガラスバルブの両側にそれぞれ設けられる筒状の外部電極とを備える誘電体バリア放電ランプにおいて、ガラスバルブの両側外周面上にそれぞれ一対の絶縁体層が所定間隔をおいた状態で被着され、外部電極は、一対の絶縁体層に跨って各端縁部が絶縁体層上に配置されてなることを特徴とする誘電体バリア放電ランプ。
【請求項３】
上記外部電極が蒸着又は塗布によって被着され、絶縁体層の一部を被覆してなることを特徴とする請求項１又は２に記載の誘電体バリア放電ランプ。
【請求項４】
上記絶縁体層が蒸着又は塗布によって被着されてなることを特徴とする請求項１乃至３のいずれか１項に記載の誘電体バリア放電ランプ。
【発明の詳細な説明】
【技術分野】
【０００１】
本発明は、放電媒体が内部に封入されたガラスバルブにおいて、誘電体バリア放電によって、ガス中にエキシマ分子を発生させ、このエキシマ分子が分解した際の放射線を、内部の蛍光体層によって可視光線に変換し外部に放出する誘電体バリア放電ランプに関する。
【背景技術】
【０００２】
従来のこの種の誘電体バリア放電ランプは、放電媒体が内部に封入されたガラスバルブと、該ガラスバルブの内周面上に設けられた蛍光体層と、ガラスバルブの両側に固着された有底筒状の外部電極とを備えている。そして、この誘電体バリア放電ランプ（以下、「ランプ」という）は、内部に電極がないので寿命の長いことが特長となっているが、外部電極が外気に接触し且つ外部電極に高電圧が印加されるので、外部電極の端縁部からコロナ放電が発生しやすく、このコロナ放電に伴ってオゾンが発生するという問題点がある。
【０００３】
この問題を解消すべく、例えば外部電極における放電容器の軸方向中央側の端縁部を絶縁性部材で密着して包囲し、該端縁部からのコロナ放電を防止しているものが公知になっている（特許文献１参照）。
【特許文献１】特開２００３−２５７３７７号公報
【発明の開示】
【発明が解決しようとする課題】
【０００４】
しかしながら、上記公報のランプの場合、上述した外部電極の端縁部を絶縁性部材によって密着して包囲するとあるが、実際には、絶縁性部材を外部電極の端縁部に隙間なく確実に形成するのは困難である。そして、実際に隙間が生じていると、この隙間を介して外部電極の端縁部からコロナ放電が発生するおそれがある。
【０００５】
あるいは、使用に伴って外部電極が熱を持つため、絶縁性部材が剥がれる場合があり、この場合も同じく外部電極の端縁部からコロナ放電が発生するおそれがある。
【０００６】
そこで、本発明は上記問題点に鑑み、外部電極の端縁部からのコロナ放電を確実に防止することができる誘電体バリア放電ランプを提供することを目的とする。
【課題を解決するための手段】
【０００７】
上記課題を解決するために、本発明に係る誘電体バリア放電ランプは、放電媒体を内部に封入したガラスバルブと、該ガラスバルブの各端部を覆うようにガラスバルブの両側にそれぞれ設けられる有底筒状の外部電極とを備える誘電体バリア放電ランプにおいて、ガラスバルブの両側外周面上にそれぞれ絶縁体層が被着され、外部電極は、絶縁体層の一部を覆って端縁部が絶縁体層上に配置されてなるものである。
【０００８】
したがって、外部電極の端縁部近傍、即ち外部電極の端縁部の内外に跨るガラスバルブの外周面が絶縁体層で被覆されることで、外部電極の端縁部とガラスバルブの外周面との間に絶縁体層が介在することになり、外部電極の端縁部からの放電が回避されてオゾン発生を防止できる。
【０００９】
しかも、絶縁体層の端部の上に外部電極の端縁部が位置しているので、外部電極の熱によって絶縁体層の一部分が放電容器の周面から剥がれたとしても、外部電極の端縁部と放電容器の周面との間に絶縁体層が介在することになり、コロナ放電しにくい環境を維持できる。
【００１０】
また、本発明に係る誘電体バリア放電ランプは、放電媒体を内部に封入したガラスバルブと、該ガラスバルブの各端部を覆うようにガラスバルブの両側にそれぞれ設けられる筒状の外部電極とを備える誘電体バリア放電ランプにおいて、ガラスバルブの両側外周面上にそれぞれ一対の絶縁体層が所定間隔をおいた状態で被着され、外部電極は、一対の絶縁体層に跨って各端縁部が絶縁体層上に配置されてなるものである。
【００１１】
このように、筒状の外部電極の場合であっても対処できる。
【００１２】
好ましくは、上記外部電極が蒸着又は塗布によって被着するのがよい。
【００１３】
加えて、上記絶縁体層を蒸着又は塗布によって被着するのがよい。
【００１４】
この場合の絶縁体層は、部材ではなく、液体を乾燥させて固化させる場合、又は付着した絶縁性を有する微粒子を加熱蒸発させて固化させる場合であるため、密着性がよく外部電極から剥がれにくくなる。
【発明の効果】
【００１５】
以上説明したように、本発明の誘電体バリア放電ランプによれば、局部放電しやすい外部電極の端縁部近傍に位置するガラスバルブの外周面を絶縁体層で直に被覆するようにしたので、電界の強い外部電極の端縁部と、該端縁部から離れた電界の弱いガラスバルブの外周面との間が絶縁されて、不平等電界により発生するコロナ放電を効果的に防止できる。よって、ランプの用途範囲を大幅に広げることができる。
【００１６】
また、絶縁体層上に外部電極の端縁部を重ねることで、外部電極の端縁部内側での放電も防止できる。
【発明を実施するための最良の形態】
【００１７】
以下、本発明の一実施形態について、添付図面を参照しつつ説明する。
【００１８】
本実施形態に係る誘電体バリア放電ランプは、図１に示す如く、ガラスバルブ１と、該ガラスバルブ１の両端部に蒸着又は塗布されて固着された有底筒状の外部電極２と、ガラスバルブ１の両側外周面上に蒸着又は塗布された絶縁体層３とを備えている。
【００１９】
ガラスバルブ１は、両端部が封止された細長いガラスバルブからなり、その内部には、放電媒体としての希ガス若しくは水銀と希ガスの混合ガスが封入されていると共に、蛍光体層が設けられている（図示せず）。
【００２０】
外部電極２は、閉塞端部２ａ及び側璧部２ｂによってガラスバルブ１の各端部を覆う一方、端縁部２ｃが絶縁体層３の一端部を被覆するように形成されており、絶縁体層３の厚さ寸法によってガラスバルブ１の外周面から離間するようになっている。そして、絶縁体層３の幅寸法、即ち外部電極２の端縁部２ｃよりも内側に位置する絶縁体層３の幅寸法によって、外部電極２の端縁部２ｃよりも内側に位置するガラスバルブ１の外周面が絶縁される一方、外部電極２の端縁部２ｃよりも外側に位置する絶縁体層３の幅寸法によって、外部電極２の端縁部２ｃよりも外側に位置するガラスバルブ１の周面が絶縁されている。
【００２１】
絶縁体層３は、その一端部が外部電極２の端縁部２ｃによって被覆されており、被覆されていない他端部側が外部電極２の端縁部２ｃよりも突出している。つまり、絶縁体層３は、外部電極２の端縁部２ｃの近傍に位置するガラスバルブ１の外周面に形成されることで、外部電極２の端縁部２ｃと、該端縁部２ｃの内外にかけて位置するガラスバルブ１の外周面とが絶縁されることになり、外部電極２の端縁部２ｃからのコロナ放電を回避できる。
【００２２】
そして、上記ランプを製造する場合は、ガラスバルブ１の両端部から所定間隔をおいて絶縁体層３を蒸着又は塗布して筒状に形成した後、外部電極２を、その端縁部２ｃが絶縁体層３の一端部を被覆するように、且つ、ガラスバルブ１の両端部を覆うように設ける。
【００２３】
なお、前記実施形態の場合、有底筒状の外部電極２を備えたランプについて説明したが、これに限定されるものではなく、筒状の外部電極２０を備えたランプにも適用できる。この場合、図２に示すように、外部電極２０の両端縁部２０ｃ，２０ｃ近傍に位置するガラスバルブ１の外周面に所定間隔をおいて一対の絶縁体層３を形成し、一対の絶縁体層３の対向端部を外部電極２０の両端縁部２０ｃ，２０ｃで被覆するように形成する。これによって外部電極２０の両端縁部２０ｃ，２０ｃからの放電を防止できる。
【産業上の利用可能性】
【００２４】
本発明の誘電体バリア放電ランプは、コロナ放電に伴うオゾン発生を防止できるので、テレビやＯＡ機器の液晶バックライト、及び、小型照明機器等の各種装置に採用させる光源の分野で特に有用である。
【図面の簡単な説明】
【００２５】
【図１】本発明の一実施形態に係る誘電体バリア放電ランプの概略断面図
【図２】他の形態の誘電体バリア放電ランプの概略断面図
【符号の説明】
【００２６】
１  放電容器
２、２０  外部電極
２ａ  閉塞端部
２ｂ  側壁部
２ｃ、２０ｃ  端縁部
３  絶縁体層
【図１】
2007103056.tif 000003
【図２】
2007103056.tif 000004